(57)【要約】      （修正有）【課題】獣毛と合成樹脂製の筆毛を混毛した場合は、獣毛と合成樹脂製の筆毛の弾性の違いや表面状態の粗さの違いから、肌へのフィット感が劣ることや化粧料を塗布した際に、肌への仕上がりの均一さに欠けるといった問題が残されていたので、これを解決する塗布ブラシを提供する。【解決手段】合成樹脂製の複数種の筆毛の先端にテーパー加工を施し、その筆毛を混毛し束ねて塗布ブラ１シとし、前記塗布ブラシ１を管状体４の先端部に配置し、管状体４の基端部に軸筒５を設けた化粧ブラシであって、前期塗布ブラシ１は、筆毛の表面算術平均粗さがＲａ０．０５〜０．２μｍの範囲もので形成し、且つ、波状のクリンプ加工を施して形成したものと筆毛の表面算術平均粗さがＲａ０．２〜１．０μｍの範囲ものとを少なくとも混毛し構成した。【選択図】図１
2015008856.tif 000002
【特許請求の範囲】
【請求項１】
合成樹脂製の複数種の筆毛の先端にテーパー加工を施し、その筆毛を混毛し束ねて塗布ブラシとし、前記塗布ブラシを管状体の先端部に配置し、管状体の基端部に軸筒を設けた化粧ブラシであって、前期塗布ブラシは、筆毛の表面算術平均粗さがＲａ０．０５〜０．２μｍの範囲もので形成し、且つ、波状のクリンプ加工を施して形成したものと筆毛の表面算術平均粗さがＲａ０．２〜１．０μｍの範囲ものとを少なくとも混毛し構成したことを特徴とする塗布ブラシ。
【請求項２】
前記合成樹脂製の筆毛の表面算術平均粗さ０．２〜１．０μｍの範囲の筆毛は、筆毛に鉱物を練り込んで構成したことを特徴とする請求項１記載の塗布ブラシ。
【請求項３】
前記合成樹脂製の筆毛の表面算術平均粗さ０．０５〜０．２μｍの範囲の筆毛は、筆毛の表面に波状のクリンプを有したもので構成したことを特徴とする請求項１記載の塗布ブラシ。
【請求項４】
前記塗布ブラシの筆毛の材質は、少なくともＰＢＴ製の筆毛とナイロン製の筆毛とを混毛して構成したことを特徴とする請求項１〜請求項３の何れかに記載の塗布ブラシ。
【発明の詳細な説明】
【技術分野】
【０００１】
本発明は、合成樹脂製の複数種の筆毛の先端にテーパー加工を施し、その筆毛を混毛し束ねて塗布ブラシとし、前記塗布ブラシを管状体の先端部に配置し、管状体の基端部に軸筒を設けた化粧ブラシであって、特にチークブラシ、フェイスブラシ、パウダーブラシなどのパウダー状の塗布液を肌に載せる効果に優れ、ソフトな感触で塗布できる化粧ブラシに用いられる塗布ブラシに関するものである。
【背景技術】
【０００２】
従来、チークブラシ、フェイスブラシ、パウダーブラシなどの化粧料を塗布するための化粧ブラシが広く用いられており、その全体形状は、丸平の扇状、丸筆の扇状、丸筆の扁平状などの形状をした化粧ブラシが提案されている。この種の化粧ブラシは、鼬、狸、鼠、貂、山羊、灰リスなどの獣毛を使用しており、使用目的、使用者の好みなどによってブラシの硬さ、太さなどを調整して、上記獣毛の種類や組み合わせ方を変えて製品としている。一般的には、筆毛のテーパー形状が長くその表面状態が繊細で先端部に弾力がある獣毛のみで作った筆穂の品質が良いとされている。特に、鼬毛、山羊、灰リスがその代表である。
【０００３】
これらの化粧ブラシにおいては、化粧料、特にパウダー状の保持に適し、且つ、肌当たりが非常に柔らかく化粧ブラシに最適とされてきた。しかし、獣毛は天然物であるため、品質が一定なものが得難く、任意の寸法形状のものとすることが困難であるといった問題があり、更には、鼬、狸、貂の収穫量の減少や動物などの生態系の保護などによる輸入規制などで高価格化といった問題がある。
【０００４】
そこで、筆穂を形成する獣毛に代わり合成樹脂製の筆毛を用いることが行われている。合成樹脂製の先端をテーパー化して、獣毛のような合成樹脂製筆毛となすためには、合成樹脂製繊維を溶解又は分解する処理液に接触させる方法などが提案されている。（特許文献１参照、特許文献２参照）
【０００５】
しかし、先端をテーパー化した合成樹脂製筆毛を用いた筆穂は、化粧料の保持力が低いといった問題や塗布した際に使用感がハードで悪いといった問題を有していた。これを解決するために、波状に皺曲（クリンプ）して、その波長が各々相違する多数の合成樹脂製の筆毛よりなる筆穂（特許文献３参照）などが提案されている。
【０００６】
しかし、上記のクリンプの波長が各々相違する多数の合成樹脂製の筆毛よりなるものの場合、空間が大きくなり易く、塗布性は向上するが、腰が弱くなったり、筆穂のまとまりが悪くなるといった問題を有していた。
【０００７】
そこで、これらの問題を解決するために、化粧料、特にパウダー状の化粧料の保持に適し、且つ肌面への柔らかい接触感に優れた、獣毛と合成樹脂製の筆毛とを混毛してなる塗布ブラシ（特許文献４参照）などが提案されている。
【先行技術文献】
【特許文献】
【０００８】
【特許文献１】特公昭４９−６１５９号公報（特許請求範囲）
【特許文献２】特公昭６０−３０５５６号公報（第３欄２４行目〜第４欄１５行目）
【特許文献３】実開昭６２−１１４７８１号公報（実用新案登録請求の範囲）
【特許文献４】特開２０１１−７２４９５号広報（特許請求範囲）
【発明の概要】
【発明が解決しようとする課題】
【０００９】
しかしながら、獣毛と合成樹脂製の筆毛とを混毛してなる塗布ブラシの場合は、一般的に、天然毛である獣毛は、全体的に柔らかく筆毛表面がキューティクル状の凹凸が形成されているので、粉含みが良く、化粧料を肌に載せる効果に優れるが、獣毛と合成樹脂製の筆毛を混毛した場合は、獣毛と合成樹脂製の筆毛の弾性の違いや表面状態の粗さの違いから、肌へのフィット感が劣ることや化粧料を塗布した際に、肌への仕上がりの均一さに欠けるといった問題が残されていた。
【課題を解決するための手段】
【００１０】
本発明は、合成樹脂製の複数種の筆毛の先端にテーパー加工を施し、その筆毛を混毛し束ねて塗布ブラシとし、前記塗布ブラシを管状体の先端部に配置し、管状体の基端部に軸筒を設けた化粧ブラシであって、前期塗布ブラシは、筆毛の表面算術平均粗さがＲａ０．０５〜０．２μｍの範囲もので形成し、且つ、波状のクリンプ加工を施して形成したものと筆毛の表面算術平均粗さがＲａ０．２〜１．０μｍの範囲ものとを少なくとも混毛し構成したことを主要な特徴とするものである。
【発明の効果】
【００１１】
本発明に係る塗布ブラシは、合成樹脂製の複数種の筆毛の先端にテーパー加工を施し、その筆毛を混毛し束ねて塗布ブラシとし、前記塗布ブラシを管状体の先端部に配置し、管状体の基端部に軸筒を設けた化粧ブラシであって、前記塗布ブラシは、筆毛の表面算術平均粗さがＲａ０．０５〜０．２μｍの範囲もので形成し、且つ、波状のクリンプ加工を施して形成したものと筆毛の表面算術平均粗さがＲａ０．２〜１．０μｍの範囲ものとを少なくとも混毛し構成しているので、塗布時の塗布ブラシのまとまりが良好で、肌面にフィットする柔らかい感触が得られると共に、化粧料の掻き取り性と塗布時の吐出性が良好である化粧ブラシを提供するものである。
【図面の簡単な説明】
【００１２】
【図１】本発明に係る化粧ブラシの概略の側面図である。
【図２】（ａ）塗布ブラシを管状体に挿入固定された横断面である。            （ｂ）塗布ブラシを管状体に挿入固定したものを管状体の基端部より軸筒を挿入固定された横断面図である。
【図３】本発明に使用した各筆毛の拡大模式図である。
【図４】本発明に係る筆毛のクリンプ形状の拡大模式図である。
【図５】（ａ）塗布ブラシの先端形状の変形例を示す正面図である。            （ｂ）塗布ブラシの先端形状の変形例を示す上面図である。
【図６】（ａ）塗布ブラシの先端形状の変形例を示す正面図である。            （ｂ）塗布ブラシの先端形状の変形例を示す上面図である。
【図７】（ａ）塗布ブラシの先端形状の変形例を示す正面図である。            （ｂ）塗布ブラシの先端形状の変形例を示す上面図である。
【発明を実施するための形態】
【００１３】
以下、本発明について説明する。図１は、本発明による化粧ブラシに適した１例を示している。参照符号１は塗布ブラシ１であり、この塗布ブラシ１は、管状体４に挿入固定され、この管状体４の基端部に、軸筒５を挿入固定され化粧ブラシを形成している。また、塗布ブラシ１は、先端をテーパー加工した筆毛の表面に算術平均粗さがＲａ０．０５〜０．２０μｍの範囲の微細な凹凸を形成し、且つ、波状のクリンプ加工を施して形成した筆毛２と先端をテーパー加工した筆毛の表面に算術平均粗さがＲａ０．２０〜１．００μｍの範囲の微細な凹凸を形成した筆毛３とを混毛したものを用いて長手方向に集束し、後端部を熱溶着や接着剤による接着などの方法により固着して形成したものである。
【００１４】
塗布ブラシ１に使用する筆毛２、３は、先端をテーパー加工した筆毛の表面に微細な凹凸が異なるように形成しているが、ここでの筆毛２、３の表面に微細な凹凸を形成するためには、フィラメント樹脂の中に鉱物（ミネラル）などを練り込んだものを用いるのが好ましい。なぜなら、フィラメント樹脂の中に鉱物を練り込んだものは、フィラメントの表面及びフィラメント内部共に凹凸を形成しているので、テーパー加工などの溶解などでも凹凸を形成することができるからである。又、これとは逆にフィラメント表面にプラズマ処理やレーザーなどで表面に凹凸を形成したものは、テーパー加工などの溶解により、表面の凹凸が消滅したり、使用頻度によっては、表面の凹凸が脱落するため好ましくない。
【００１５】
又、前記塗布ブラシ１に使用する筆毛２、３は、先端をテーパー加工した筆毛の表面に異なる微細な凹凸を形成する訳であるが、ここでの凹凸の形成の仕方は、フィラメント樹脂に練り込む鉱物の粒子の大きさを表面算術平均粗さに合ったものに調整して形成している。その他としては、テーパー加工などの溶解等により筆毛表面を粗し、極微細な凹凸を形成することもできる。但し、必ずしもこの方法に限定されるものではなく、例えば、グラインダーなどで機械的にフィラメント表面を削り表面に凹凸を形成する方法などを採用しても良い。
【００１６】
前記筆毛に使用している合成樹脂製の繊維材質としては、ポリアミド（６、６−ナイロン、６−ナイロン、１２−ナイロン、６，１０−ナイロン、６，１２−ナイロンなど）ポリエステル（ポリエチレンテレフタレート、ポリブチレンテレフタレートなど）、ポリウレタン、ポリアクリロニトリル、アクリロニトリル−スチレン共重合物、アクリロニトリル−ブタジエン共重合物などを用いることができるが、各筆毛の材質は同一であっても異なっていても良い。
【００１７】
前記塗布ブラシ１に用いる合成樹脂製の筆毛２、３、の基部の直径Ｄは、製造用途又は大きさ（直径及び長さ）によっても異なるが、本発明に係わる化粧料の塗布ブラシ１における筆毛２、３、の基部の直径Ｄは、０．０５ｍｍ〜０．０８ｍｍのものを用いることが好ましい。ここで言う筆毛の直径Ｄとは、テーパー加工されていない部分の直径を言うものである。
【００１８】
前記合成樹脂製の筆毛２、３、を先端から後方に向けてテーパー化した筆毛２、３、となすには、化学処理液による方法が好ましく、その具体的一例としては、ポリアミドに対してメタクレゾールと塩化カルシウム−メタノール溶液との混和液、ポリエステルに対して水酸化ナトリウムなどの組合せが挙げられる。但し、必ずしもこの方法に限定されるものではなく、例えば、グラインダー研摩など機械的にテーパー化するなどの他の方法を採用しても良い。
【００１９】
先端がテーパー加工された合成樹脂製の塗布ブラシ１の筆毛２は、表面算術平均粗さがＲａ０．０５〜０．２０μｍの範囲もので形成し、且つ、波状のクリンプ加工を施したものを使用する目的は、筆毛２の表面に極微細な凹凸とクリンプ加工を施して形成しているので、塗布時に肌面に対して、繊維のズレが生じ難く、肌面にフィットし易く、又、クリンプによって、空間が大きくなるので、肌面にフィットする柔らかい感触が得られると共に、化粧料の塗布時の吐出性が良好なものが得られる。但し、必ずしも筆毛２は、１種類のみと限定されるものではなく、筆毛２の表面算術平均粗さが上記の範囲内であれば、クリンプの波形状を変えて２種類、３種類と混毛しても構わない。
【００２０】
尚、前記塗布ブラシ１の筆毛２に用いるクリンプの形状は、波形高さが０．０１ｍｍ〜１．０ｍｍ、波形ピッチが１．０ｍｍ〜８．０ｍｍの範囲の中から選定することができる。このとき、前記塗布ブラシ１の摩擦抵抗値を４．０〜６．０ｇｆの範囲に入るように選定する必要がある。  
【００２１】
又、先端がテーパー加工された合成樹脂製の塗布ブラシ１の筆毛３は、表面算術平均粗さがＲａ０．２０〜１．００μｍの範囲のものを使用する目的は、筆毛３の表面に筆毛２より大きい微細な凹凸を形成しているので、塗布時に肌面に対して、接触する部分が無数に存在することで、繊維のズレが生じ難く、肌面にフィットする感触が得られると共に、化粧料の掻き取り性が良くなり化粧料の含みが良好になるからである。
【００２２】
又、前記塗布ブラシ１は、筆毛の表面算術平均粗さがＲａ０．０５〜０．２μｍの範囲もので形成し、且つ、波状のクリンプ加工を施して形成した筆毛２と筆毛の表面算術平均粗さがＲａ０．２〜１．０μｍの範囲の筆毛３とを少なくとも混毛する目的は、表面算術粗さの大きさの異なるものを混ぜることで、塗布ブラシ全体が大きい粗さのものと微細な粗さのものとが均一に塗布ブラシ全体に形成されるため、肌面に対してフィットし易く、さらにクリンプ加工により塗布ブラシ全体に程良い空間が形成されるため、非常に柔らかい肌面にフィットする塗布ブラシを得るためである。
【００２３】
その結果として、筆毛２の表面に極微細な凹凸とクリンプ加工を施して形成しているので、塗布時に肌面に対して、繊維のズレが生じ難く、肌にフィットし易く、又、クリンプによって、空間が大きくなるので、肌面に対して柔らかい感触と掻き取った化粧料が多く含むことができる。又、筆毛３の表面に筆毛２より大きい微細な凹凸を形成しているので、塗布時に肌面に対して、接触する部分が無数に存在することで、繊維のズレが生じ難く、肌面にフィットする感触が得られると共に、化粧料の掻き取り性が良好な塗布ブラシが得られる。全体として、塗布時の化粧ブラシのまとまりが良好で、肌面にフィットする柔らかい感触が得られると共に、化粧料の掻き取り性と塗布時の吐出性が良好である化粧ブラシが得られるものである。
【００２４】
尚、前記筆毛の表面算術平均粗さは、形状測定レーザーマイクロスコープ（ＶＫ−Ｘ１００／２００：キーエンス社製）を用いて測定した。レーザーマイクロスコープは、短波長レーザー光を用いて、試料表面に照射し、試料表面からの反射光量により、高さや形状の情報を得ることで、試料表面の凹凸形状の高さを算術平均粗さＲａとして算出したものを使用した。尚、試料の測定条件は、試料側面の２０μｍ角の範囲を測定し、カットオフ値をλｓ０．２５μｍ・λｃ０．０８ｍｍとした。
【００２５】
塗布ブラシ１は、筆毛の表面算術平均粗さがＲａ０．０５〜０．２μｍの範囲もので形成し、且つ、波状のクリンプ加工を施して形成した筆毛２の配合比率としては、２０〜８０％重量の範囲のものが好ましい。その理由は、筆毛２の配合比率が２０％に満たないと塗布ブラシ１内の空間率の低下し肌面へのフィット感がなくなったり、筆毛表面の掻き取り性が悪くなり、化粧料の吐出性が低下してしまう。又、筆毛２の配合比率が８０％を超えると、塗布ブラシ１内の空間率が大きくなりすぎて、塗布ブラシ１のまとまりが悪くなり、塗布時の肌面へのフィット感を低下させてしまうからである。
【００２６】
又、前記塗布ブラシ１は、筆毛の表面算術平均粗さがＲａ０．２〜１．０μｍの範囲で形成した筆毛３の配合比率としては、２０〜８０％重量の範囲のものが好ましい。その理由は、筆毛３の配合比率が２０％に満たないと化粧料の掻き取り性が悪くなると共に、肌面へのフィット感が低下してしまう。又、筆毛３の配合比率が８０％を超えると、肌面に対する抵抗が大きくなりすぎて使用感が悪くなったり、化粧料の含みが多くなりすぎて、塗布時に斑になったり、均一に塗布できないからである。
【００２７】
前記塗布ブラシ１の断面形状としては、製造用途又は大きさ（直径及び長さ）によっても異なるが、塗布ブラシ１の横断面形状を今回は楕円状で先端が扇状で作成したが、これに限定されるものではなく、円形状で先端が扇状、円形状で先端が平坦状、円形状で先端が傾斜状といったものに使用しても同じような効果を発揮する。
【００２８】
本発明の化粧用塗布ブラシ１を製造するに当たっては、上記の筆毛２、３を混毛し、後端を溶着、接着又は後部を糸などで縛って筆毛の脱落を防止して、塗布ブラシ１となす訳であるが、混毛された塗布ブラシ１は、先端をテーパー加工した筆毛の表面に表面算術平均粗さがＲａ０．０５〜０．２μｍの範囲もので形成し、且つ、波状のクリンプ加工を施して形成した筆毛２と先端をテーパー加工した筆毛の表面に表面算術平均粗さがＲａ０．２〜１．０μｍの範囲に形成した筆毛３とがお互いに均一に混毛され配列されていることが好ましい。
【００２９】
以下、本発明の実施例を説明する。
図１は、本発明の化粧用塗布ブラシ１の使用例である化粧ブラシを示すものである。参照符号１は、化粧用の塗布ブラシ１であり、筆毛２、３、を混毛し、その後端部を溶着したものである。塗布ブラシ１は、管状体４に挿入固定され、この管状体４の基端部に、軸筒５を挿入固定され化粧ブラシを形成している。
【００３０】
前記塗布ブラシ１の筆毛は、先端をテーパー加工した筆毛の表面算術平均粗さがＲａ０．１４μｍのもので形成し、且つ、波状のクリンプの形状をピッチ２．５４ｍｍ・高さ０．０６ｍｍで形成し、筆毛の直径Ｄが０．０７ｍｍの筆毛２と先端をテーパー加工した筆毛の表面算術平均粗さがＲａ０．８μｍのもので形成し、筆毛の直径Ｄが０．０７ｍｍの筆毛３とを混毛し、塗布ブラシ１の横断面形状を幅１７．５ｍｍ・厚さ１１．５ｍｍの楕円形状にし、先端部形状を扇状に形成したものを用いた。
但し、筆毛２には、他のクリンプ形状ピッチ４．６０ｍｍ・高さ０．１５ｍｍのようなクリンプ形状の異なるものを加えて混毛して構成しても良い。
他の条件を表１に示す。
【００３１】
【表１】
2015008856.tif 000003
【００３２】
実施例１〜１１、比較例１〜１６の塗布ブラシの筆毛の表面粗さ、クリンプ形状、摩擦抵抗値、筆毛の直径Ｄの特性等の条件を表２に示す。
【００３３】
【表２】
2015008856.tif 000004
【００３４】
上記実施例１〜１１、並びに、比較例１〜１６の塗布ブラシを用いて、図１に示す化粧料用塗布ブラシを形成し、化粧料の塗布試験を行った。
化粧料は、チークブラシ用のパウダーを使用して塗布試験を実施した。
【００３５】
塗布試験（モニター試験）
方法：任意に抽出したモニターに実際に化粧料用塗布ブラシを使用してもらい、使用性についてのモニター調査を実施した。その結果を表３に示す。
【００３６】
【表３】
2015008856.tif 000005
【符号の説明】
【００３７】
１    塗布ブラシ
２    先端にテーパー加工を施し、筆毛の表面に表面算術平均粗さがＲａ０．０５〜０．２μｍの範囲もので形成し、且つ、波状のクリンプ加工を施した筆毛
３    先端にテーパー加工を施し、筆毛の表面に表面算術平均粗さがＲａ０．２０〜１．００μｍの範囲もので形成した筆毛
４    管状体
５    軸筒
【図１】
2015008856.tif 000006
【図２】
2015008856.tif 000007
【図３】
2015008856.tif 000008
【図４】
2015008856.tif 000009
【図５】
2015008856.tif 000010
【図６】
2015008856.tif 000011
【図７】
2015008856.tif 000012